(57)【要約】      （修正有）【課題】ユーザが容易に吹くことができ、携帯しているときでも邪魔にならずにストラップに装着可能なホイッスルを提供する。【解決手段】ホイッスル５は、前後方向に延びる共鳴室１８が内部に形成され、共鳴室に連通する排気口１７を有する本体部と、前後方向における本体部の前端側に開口して形成される吹き口１６と、吹き口から吹き込まれる空気が共鳴室に流入するように吹き口との間に間隙ＧＶ、を空けて吹き口の内部に配置され、長尺状のストラップ部と連結される第１連結部７と、前後方向における本体部の後端側に形成され、長尺状のストラップ部と連結される第２連結部８と、を備える。第１連結部７は、長尺状のストラップ部に取り付けられる第１係止クリップ３の係止軸部３Ａと係脱可能に係合する一対の弾性片２３Ａ、２３Ｂを含む。【選択図】図８
2014059451.tif 000002
【特許請求の範囲】
【請求項１】
所定の方向に延びる共鳴室が内部に形成され、共鳴室に連通する排気口を有する本体部と、
前記所定の方向における前記本体部の一端側に開口して形成される吹き口と、
前記吹き口から吹き込まれる空気が前記共鳴室に流入するように前記吹き口との間に間隙を空けて前記吹き口の内部に配置され、長尺状のストラップ部と連結される第１連結部と、
前記所定の方向における前記本体部の他端側に形成され、長尺状のストラップ部と連結される第２連結部と、を備え、
前記第１連結部は、長尺状のストラップ部に取り付けられる係止部と係脱可能に係合する係合部を含むことを特徴とするホイッスル。
【請求項２】
前記係合部は、前記係止部の係止軸部と係脱可能に係合するために弾性変形可能な一対の弾性片を含むことを特徴とする請求項１に記載のホイッスル。
【請求項３】
前記一対の弾性片の少なくとも一部が前記吹き口から突出するように、前記第１連結部が前記吹き口の内部に配置されることを特徴とする請求項２に記載のホイッスル。
【請求項４】
前記一対の弾性片の少なくとも一方は、前記共鳴室に連通する通気口を含むことを特徴とする請求項２または３に記載のホイッスル。
【請求項５】
前記第１連結部は、前記本体部と別体に構成され、
係止突起および係止凹部が、互いに嵌合するように前記第１連結部および前記本体部にそれぞれ設けられることを特徴とする請求項１〜４のいずれかに記載のホイッスル。
【請求項６】
前記本体部は、前記排気口が形成される第１壁と、その第１壁と対向する第２壁と、第１および第２壁を連結する一対の連結壁とを有し、
前記第１連結部は、前記第１壁との間に間隙を空けて前記第２壁に配置されることを特徴とする請求項１〜５のいずれかに記載のホイッスル。
【請求項７】
前記第１壁は、前記第２壁より張り出して形成されることを特徴とする請求項６に記載のホイッスル。
【請求項８】
少なくとも１つの長尺状のストラップ部と、
前記ストラップ部に取り付けられる第１係止部と、
ホイッスルと、を備え、
前記ホイッスルは、
所定の方向に延びる共鳴室が内部に形成され、共鳴室に連通する排気口を有する本体部と、
前記所定の方向における前記本体部の一端側に開口して形成される吹き口と、
前記吹き口から吹き込まれる空気が前記共鳴室に流入するように前記吹き口との間に間隙を空けて前記吹き口の内部に配置され、前記第１係止部と係脱可能に連結される第１連結部と、
前記所定の方向における前記本体部の他端側に形成され、前記ストラップ部と連結される第２連結部と、を含むことを特徴とするホイッスル付きストラップ。
【請求項９】
前記ストラップ部に取り付けられる第２係止部を備え、
前記第２連結部は、前記第２係止部と係脱可能に連結され、
前記第１連結部と前記第１係止部との係止力は、前記第２連結部と前記第２係止部との係止力より小さいことを特徴とする請求項８に記載のホイッスル付きストラップ。
【請求項１０】
前記第１係止部および前記第２連結部は、係止軸部を含み、
前記第２係止部および前記第１連結部は、前記係止軸部と係脱可能に係合するために弾性変形可能な一対の弾性片を含み、
前記係止軸部が延びる軸方向において、前記本体部と、前記第１係止部と、前記第２係止部とはほぼ同じ寸法であることを特徴とする請求項９に記載のホイッスル付きストラップ。
【発明の詳細な説明】
【技術分野】
【０００１】
本発明は、カバンなどの物品に固定されるベルト、およびネームタグに連結される紐などのストラップに装着可能なホイッスルに関する。詳細には、ストラップに取り付けられた係止クリップに対して着脱可能なホイッスルに関する。
【背景技術】
【０００２】
従来、災害などの緊急時に救助を求めるためにホイッスルが使用される。緊急用のホイッスルの不携帯を防止するために、ユーザが身に付ける物品にホイッスルを取り付ける種々の提案がされている。
【０００３】
上記の提案の１つとして、特許文献１には、ホイッスル付きのバックルが開示される。特許文献１に記載のホイッスルは、カバンなどの物品のベルトに固定されるバックルに取り付けられる。具体的には、バックルは、スライディング部と、突起とを有し、ホイッスルは、スライディング部に挿入される連結部と、突起が嵌る固定溝とを有する。ホイッスルがバックルに取り付けられた状態は、突起と固定溝との嵌合により保持される。ユーザは、突起と固定溝との嵌合を解除してホイッスルをバックルから取り外した後に、ホイッスルを吹くことができる。
【０００４】
他の提案として、特許文献２には、ホイッスル付きの腕時計が開示される。ホイッスルは、メタルバンドの留め金部に一体的に固定される。ホイッスルの吹き口は、留め金部から突出して形成される。留め金部に固定されたホイッスルを使用する際には、ユーザは、留め金部から突出する吹き口から空気を吹き込み、ホイッスルを吹くことができる。また、特許文献２には、ホイッスルが、留め金部またはメタルバンドに対して着脱自在に取り付ける構成も簡単に記載される。この着脱自在のホイッスルを使用する際には、特許文献１に記載のホイッスルと同様に、ユーザは、ホイッスルを留め金部またはメタルバンドから取り外した後に、ホイッスルを吹くことができる。
【先行技術文献】
【特許文献】
【０００５】
【特許文献１】特開２０１０−２２８０８号公報
【特許文献２】特開平１１−２２３０５４号公報
【発明の概要】
【発明が解決しようとする課題】
【０００６】
特許文献１に記載のホイッスルは、バックルからの取り外しが容易な構成であるが、ベルト、およびベルトに固定されたバックルから突出した状態で、バックルに装着される構成である。このため、ユーザが、カバンなどの物品を身に付けているときに、ホイッスルが邪魔になることがある。
【０００７】
特許文献２に記載のホイッスルの１つの形態では、ホイッスルが留め金部に一体的に固定され、吹き口が留め金部から突出する構成である。このため、ユーザがホイッスルを吹くときに、留め金部が邪魔になり、ユーザは吹き口から空気を充分に吹き込むことが困難である。また、特許文献２に記載のホイッスルの他の形態では、ホイッスルが留め金部またはメタルバンドに対して着脱自在に取り付ける構成である。このため、特許文献１に記載のホイッスルと同様に、ユーザが、腕時計などの物品を身に付けているときに、ホイッスルが邪魔になることがある。
【０００８】
そこで、本発明は、ユーザが容易に吹くことができ、携帯しているときでも邪魔にならずにストラップに装着可能なホイッスル、およびホイッスル付きストラップを提供することを目的とする。
【課題を解決するための手段】
【０００９】
（第１の発明態様およびその具体的態様）
請求項１に記載の第１の発明態様は、所定の方向に延びる共鳴室が内部に形成され、共鳴室に連通する排気口を有する本体部と、前記所定の方向における前記本体部の一端側に開口して形成される吹き口と、前記吹き口から吹き込まれる空気が前記共鳴室に流入するように前記吹き口との間に間隙を空けて前記吹き口の内部に配置され、長尺状のストラップ部と連結される第１連結部と、前記所定の方向における前記本体部の他端側に形成され、長尺状のストラップ部と連結される第２連結部と、を備え、前記第１連結部が、長尺状のストラップ部に取り付けられる係止部と係脱可能に係合する係合部を含む構成である。
【００１０】
本発明態様では、第２連結部は、離脱不能にストラップ部と連結される構成でも、第１連結部と同様に、ストラップ部に取り付けられる係止部と係脱可能に係合する係合部を含む構成でもよい。
【００１１】
本発明態様では、第１および第２連結部は、１本のストラップ部に連結される構成でも、異なる２本のストラップ部にそれぞれ連結される構成でもよい。
【００１２】
本発明態様では、第１連結部は、本体部の少なくとも一部と一体に成形される構成でも、本体部と別体に形成され、本体部に取り付けられる構成でもよい。
【００１３】
本発明態様では、ストラップ部が長尺状のものであれば、ストラップ部の横断面形状は平板形状、円形状、楕円形状などいかなる形状でもよい。また、ストラップ部は、カバンなどのユーザが持ち運ぶ物品、またはネームタグなどのユーザが身に付ける物品に取り付けられる形態で使用される。
【００１４】
本発明態様では、ストラップ部に取り付けられる係止部と、第１連結部の係合部とが、係脱可能に構成されるのであれば、両者が、互いに係合する凹部および凸部のいずれを含む構成でもよい。
【００１５】
請求項２に記載の具体的態様では、前記係合部が、前記係止部の係止軸部と係脱可能に係合するために弾性変形可能な一対の弾性片を含む。
【００１６】
請求項３に記載の具体的態様では、前記一対の弾性片の少なくとも一部が前記吹き口から突出するように、前記第１連結部が前記吹き口の内部に配置される。
【００１７】
請求項４に記載の具体的態様では、前記一対の弾性片の少なくとも一方が、前記共鳴室に連通する通気口を含む。
【００１８】
請求項５に記載の具体的態様では、前記第１連結部が、前記本体部と別体に構成され、係止突起および係止凹部が、互いに嵌合するように前記第１連結部および前記本体部にそれぞれ設けられる。
【００１９】
具体的態様では、係止突起および係止凹部は、第１連結部および本体部のいずれに設けられてもよい。また、係止突起および係止凹部の個数は、１つでも、複数でもよい。
【００２０】
請求項６に記載の具体的態様では、前記本体部が、前記排気口が形成される第１壁と、その第１壁と対向する第２壁と、第１および第２壁を連結する一対の連結壁とを有し、前記第１連結部が、前記第１壁との間に間隙を空けて前記第２壁に配置される。
【００２１】
具体的態様では、第１壁、第２壁、および一対の連結壁は、平面でも、曲面でもよい。また、第１連結部と第１壁との間の間隙は、第１壁の少なくとも一部の面との間に形成されればよい。
【００２２】
請求項７に記載の具体的態様では、前記第１壁が、前記第２壁より張り出して形成される。
【００２３】
具体的態様では、第１壁が、第２壁だけでなく、第１連結部の係合部よりも張り出して形成されても、第１連結部の係合部よりは張り出さないように形成されてもよい。
【００２４】
（第２の発明態様およびその具体的態様）
請求項８に記載の第２の発明態様は、少なくとも１つの長尺状のストラップ部と、前記ストラップ部に取り付けられる第１係止部と、ホイッスルと、を備え、前記ホイッスルが、所定の方向に延びる共鳴室が内部に形成され、共鳴室に連通する排気口を有する本体部と、前記所定の方向における前記本体部の一端側に開口して形成される吹き口と、前記吹き口から吹き込まれる空気が前記共鳴室に流入するように前記吹き口との間に間隙を空けて前記吹き口の内部に配置され、前記第１係止部と係脱可能に連結される第１連結部と、前記所定の方向における前記本体部の他端側に形成され、前記ストラップ部と連結される第２連結部と、を含む構成である。
【００２５】
本発明態様でも、第１の発明態様と同様に、各構成要素を種々の形態で具現してもよい。たとえば、第２連結部は、第１係止部が取り付けられるストラップ部と同じストラップ部に連結される構成でも、異なるストラップ部に連結される構成でもよい。
【００２６】
請求項９に記載の具体的態様では、前記ストラップ部に取り付けられる第２係止部を備え、前記第２連結部が、前記第２係止部と係脱可能に連結され、前記第１連結部と前記第１係止部との係止力が、前記第２連結部と前記第２係止部との係止力より小さい。
【００２７】
具体的態様では、第１連結部と第１係止部との係止力、または第２連結部と第２係止部との係止力は、弾性手段の弾性力を基に発生する構成でも、互いに接触する面の表面粗さを基に発生する構成でも、弾性力および表面粗さの組み合わせを基に発生する構成でもよい。
【００２８】
請求項１０に記載の具体的態様では、前記第１係止部および前記第２連結部が、係止軸部を含み、前記第２係止部および前記第１連結部が、前記係止軸部と係脱可能に係合するために弾性変形可能な一対の弾性片を含み、前記係止軸部が延びる軸方向において、前記本体部と、前記第１係止部と、前記第２係止部とがほぼ同じ寸法である。
【００２９】
具体的態様では、ほぼ同じ寸法とは、厳密に同じ寸法に設計される必要はなく、ユーザが、本体部と第１係止部と第２係止部とを見たときに、外観形状から、３つの部材が係止軸部の軸方向において同じ寸法であると認識することができる寸法であればよい。
【発明の効果】
【００３０】
（第１の発明態様およびその具体的態様の効果）
請求項１に記載の発明態様では、第１連結部が、吹き口との間に間隙を空けて吹き口の内部に配置される。また、第１連結部の係合部が、ストラップ部に取り付けられる係止部と係脱可能に係合する。この結果、係合部が係止部と係合して第１連結部がストラップ部に連結された状態でも、吹き口が本体部から突出することがないことから、ユーザがストラップ部を身に付けたときでも、ホイッスルが邪魔にならない。しかも、ユーザは、係合部と係止部との係合を解除して第１連結部をストラップ部から離脱させることにより、吹き口から空気を吹き込むことが容易になる。
【００３１】
請求項２に記載の具体的態様では、係合部の一対の弾性片が、係止部の係止軸部と係脱可能に係合する。仮に、係合部が軸部を含み、係止部がその軸部と係合する一対の弾性片を含む構成である場合、係合部が軸部の両端を支持するために軸部の軸方向における係合部の寸法が大きくなることから、第１連結部が内部に配置される吹き口自体を大きくする必要が生ずる。これに対し、本具体的態様では、係合部が一対の弾性片を含む構成であるので、吹き口を大きくすることなく、第１連結部を吹き口の内部に配置することができる。
【００３２】
請求項３に記載の具体的態様では、一対の弾性片の少なくとも一部が吹き口から突出する。この結果、ユーザは、係止部の係止軸部を係合させるときに、一対の弾性片の位置を目で確認することが容易になり、第１連結部と係止部との連結が容易になる。
【００３３】
請求項４に記載の具体的態様では、一対の弾性片の少なくとも一方が、共鳴室に連通する通気口を含む。この結果、ユーザは、通気口を通して充分な空気を共鳴室に吹き込むことが容易になり、ホイッスルを鳴らすことが容易になる。
【００３４】
請求項５に記載の具体的態様では、係止突起および係止凹部が、別体に構成される第１連結部および本体部にそれぞれ設けられる。この結果、第１連結部を吹き口の内部に配置する複雑な構成を精度良く作製することができる。
【００３５】
請求項６に記載の具体的態様では、本体部が、排気口が形成される第１壁と、その第１壁と対向する第２壁とを有し、第１連結部が、第１壁との間に間隙を空けて第２壁に配置される。この結果、ユーザが吹き口から吹き込んだ空気は、第１壁との間の間隙を通して、第１壁の排気口から排気され易くなり、ユーザはホイッスルを鳴らすことが容易になる。
【００３６】
請求項７に記載の具体的態様では、第１壁が、第２壁より張り出して形成される。この結果、第１壁の張り出し部分は、ユーザが吹き口から吹き込んだ空気を、第１壁との間の間隙に確実に案内するように作用し、ユーザはホイッスルを鳴らすことが一層容易になる。
【００３７】
（第２の発明態様およびその具体的態様の効果）
請求項８に記載の第２の発明態様では、第１連結部が、吹き口との間に間隙を空けて吹き口の内部に配置され、第１係止部と係脱可能に連結される。この結果、第１連結部が第１係止部と連結された状態でも、吹き口が本体部から突出することがないことから、ユーザがストラップ部を身に付けたときでも、ホイッスルが邪魔にならない。しかも、ユーザは、第１連結部と第１係止部との連結を解除して第１連結部をストラップ部から離脱させることにより、吹き口から空気を吹き込むことが容易になる。
【００３８】
請求項９に記載の具体的態様では、第１連結部と第１係止部との係止力が、第２連結部と第２係止部との係止力より小さい。この結果、緊急時に、ユーザは、第１連結部を第１係止部から離脱させ易くなり、第１連結部が配置される吹き口から空気を吹き込むことを迅速に行うことができる。
【００３９】
請求項１０に記載の具体的態様では、係止軸部が延びる軸方向において、本体部と、第１係止部と、第２係止部とがほぼ同じ寸法である。この結果、ユーザがストラップ部を身に付けているときに、本体部が第１および第２係止部から突出しないことから、ホイッスルが邪魔になることがなくなる。
【図面の簡単な説明】
【００４０】
【図１】本発明の一実施形態に係るホイッスル付きストラップ１をユーザの首に掛けた状態を示す説明図である。
【図２】ホイッスル付きストラップ１においてホイッスル５が第１および第２係止クリップ３、４と連結された状態を拡大して示す説明図である。
【図３】ホイッスル５の全体を示す拡大斜視図である。
【図４】第１連結部７を取り除いた状態において、図３に示すＡ−Ａ線に従って切断された本体部６の断面図である。
【図５】第１連結部７の全体を示す拡大斜視図である。
【図６】図５に示すＢ−Ｂ線に従って切断された第１連結部７の断面図である。
【図７】図３に示すホイッスル５を前方から見た正面図である。
【図８】第１および第２係止クリップ３、４の一部と、図３に示すＡ−Ａ線に従って切断されたホイッスル５とを示す断面図である。
【発明を実施するための形態】
【００４１】
＜実施形態＞
以下に、本発明の一実施形態に係るホイッスル付きストラップについて、図面を参照して説明する。図１は、ユーザがホイッスル付きストラップ１を首に掛けた状態を示す。図２は、ホイッスル５が第１および第２係止クリップ３、４と連結された状態を拡大して示す。図１において、ホイッスル付きストラップ１は、１本のストラップ部２と、第１係止クリップ３と、第２係止クリップ４と、ホイッスル５とを備える。ネームタグＮＴが、連結リングおよびフックなどを含む公知の取付手段によりストラップ部２に取り付けられる。
【００４２】
本実施形態では、ストラップ２部は、横断面形状が平板形状である帯状に形成される。第１および第２係止クリップ３、４は、合成樹脂材料から成形され、ストラップ部２の両端２Ａ、２Ｂに取り付けられる。図２において、第１係止クリップ３は、係止軸部３Ａと、ストラップ部２の一端２Ａを挟持する挟持部３Ｂとを備える。第２係止クリップ４は、一対の弾性片４Ａ、４Ｂと、ストラップ部２の他端２Ｂを挟持する挟持部４Ｃとを備える。第１および第２係止クリップ３、４は、挟持部３Ｂ、４Ｃが一体に形成されるヒンジを有することから、ヒンジ特性に優れた合成樹脂材料、たとえば、ポリプロピレンから成形される。図２には、第２係止クリップ４の一対の弾性片４Ａ、４Ｂのうち、上方に位置する弾性片４Ａのみが示され、後述する図８には、両弾性片４Ａ、４Ｂが示される。第２係止クリップ４の一対の弾性片４Ａ、４Ｂは、第１係止クリップ３の係止軸部３Ａと係脱可能に構成されるとともに、後述のホイッスル５の第２連結部８の係止軸部９とも係脱可能に構成される。第１係止クリップ３の係止軸部３Ａは、第２係止クリップ４の一対の弾性片４Ａ、４Ｂと係脱可能に構成されるとともに、後述のホイッスル５の第１連結部７の一対の弾性片２３Ａ、２３Ｂと係脱可能に構成される。第１および第２係止クリップ３、４の構成は、特許第３９７８０９２号公報などにより公知である。
【００４３】
［ホイッスル５の詳細な構成］
ホイッスル５の詳細な構成について、図面を参照して説明する。図３は、ホイッスル５の全体を示す斜視図である。図３において、ホイッスル５は、本体部６と、第１連結部７と、第２連結部８とを有する。図３に矢印で示す３つの方向を、上下方向、前後方向、および左右方向とし、図３以降の他の図面でも同様に、各方向を示す。本体部６は、所定の方向である前後方向に延びて形成される。第１連結部７は、本体部６の前端に取り付けられる。第２連結部８は、本体部６の後端に形成される。
【００４４】
（本体部６および第２連結部８の構成）
図３および図４を参照して、本体部６および第２連結部８の構成を説明する。図４は、第１連結部７を取り外した状態において、図３に示すＡ−Ａ線に従う本体部６および第２連結部８の断面図である。本体部６は、第２連結部８と一体に合成樹脂材料から形成される。本体部６の表面には、所定の印刷が施される場合があることから、本体部６は、印刷が可能な合成樹脂材料、たとえば、ＡＢＳ樹脂、またはポリカーボネートから成形される。本体部６に施される印刷の内容としては、ユーザに関する個人情報、たとえば、氏名、血液型などの緊急時に必要な情報が考えられる。
【００４５】
第２連結部８は、係止軸部９と、一対の支持突部１０Ａ、１０Ｂとを有する。両支持突部１０Ａ、１０Ｂは、本体部６の後端から後方に突出し、係止軸部９の両端を支持する。係止軸部９は、第２係止クリップ４の一対の弾性片４Ａ、４Ｂと係脱可能に形成される。
【００４６】
本体部６は、上方壁１１と、下方壁１２と、右方壁１３と、左方壁１４と、後方壁１５とを備える。図４に示すように、上方壁１１は、下方壁１２より前方に張り出して形成される。上方壁１１の張り出しに伴い、右方壁１３および左方壁１４の前端が、湾曲形状に切り欠かれて形成される。この右方壁１３および左方壁１４の切り欠きは、第１係止クリップ３の係止軸部３Ａ、および、その係止軸部３Ａを支持する部分を収容するための空間を形成する。
【００４７】
図４において、吹き口１６が、本体部６の前端に開口して形成される。排気口１７が、上方壁１１に開口して形成される。排気口１７の後方端面１７Ａは、前方から後方に向かって上方に傾斜して形成される。共鳴室１８が、本体部６の内部に形成され、排気口１７の形成位置から本体部６の後方壁１５まで延びる。収容室１９が、吹き口１６から共鳴室１８の前端まで形成される。共鳴室１８は、排気口１７と連通するとともに、収容室１９を通して吹き口１６と連通する。収容室１９は、第１連結部７を収容するための空間を有する。一対の係止凹部２０Ａ、２０Ｂが、収容室１９の内部において、右方壁１３および左方壁１４から下方壁１２にわたって形成される。突部２１が、上方壁１１の前端に左右方向に延びて形成される。突部２１は、ユーザがホイッスル５を咥えたときに、唇および歯からホイッスル５が落下することを防止する働きを有する。
【００４８】
本体部６の左右方向の寸法、すなわち幅は、図２に示すように、第１および第２係止クリップ３、４の幅とほぼ同一に設定され、本体部６の上下方向の寸法、すなわち厚さも、第１および第２係止クリップ３、４の厚さとほぼ同一に設定される。本体部６の前後方向の寸法、すなわち長さは、ホイッスル５からの音の周波数が人間にとって聞き易い３ｋＨｚとなるように設定される。ホイッスルの長さと、その発生音の周波数との関係は、特開平８−２２７２９２号公報などにより公知である。
【００４９】
（第１連結部７の構成）
図５および図６を参照して、第１連結部７の構成を説明する。図５は、第１連結部７の全体を示す拡大斜視図である。図６は、図５に示すＢ−Ｂ線に従って切断された第１連結部７の断面図である。第１連結部７は、連結基体部２２と、一対の弾性片２３Ａ、２３Ｂとを有する。第１連結部７の全体が、合成樹脂材料から一体に成形される。第１連結部７は、耐久性、および靭性に優れた合成樹脂材料、たとえば、ポリアセタールから成形される。
【００５０】
連結基体部２２は、基台２４と、一対の突出片２５Ａ、２５Ｂと、一対の係止突起２６Ａ、２６Ｂとを有する。連結基体部２２は、本体部６の収容室１９に挿入されるように形成される。基台２４は、矩形形状を有する。図６に示すように、基台２４の上面２４Ａは、前方から後方に向かって上方に緩やかに傾斜する。一対の突出片２５Ａ、２５Ｂは、基台２４の左右両端から上方に突出し、前後方向に延びる。一対の係止突起２６Ａ、２６Ｂは、基台２４の左右両側面から左右方向に突出し、前方から後方に向かって突出量が小さくなるように傾斜する。連結基体部２２が収容室１９に挿入されたときに、両係止突起２６Ａ、２６Ｂは、両係止凹部２０Ａ、２０Ｂに嵌合する。
【００５１】
一対の弾性片２３Ａ、２３Ｂが、基台２４の前端から前方に突出して形成され、弾性片２３Ａが、弾性片２３Ｂより上方に配置される。両弾性片２３Ａ、２３Ｂは、円弧状の横断面形状を有し、先端部において所定の間隔を空けて位置する。両弾性片２３Ａ、２３Ｂは、第１係止クリップ３の係止軸部３Ａと係合することができ、係止軸部３Ａが先端部における所定の間隔を通過するときに、両弾性片２３Ａ、２３Ｂは弾性変形する。この弾性変形により、両弾性片２３Ａ、２３Ｂは係止軸部３Ａと係脱可能に連結される。両弾性片２３Ａ、２３Ｂは左右方向に延びて形成され、図５に示すように、両弾性片２３Ａ、２３Ｂの左右方向の寸法は、基台２４の左右方向の寸法より小さい。
【００５２】
通気口２７が、弾性片２３Ａと基台２４との連結領域に形成される。通気口２７は、係止軸部３Ａを収容されるために図６において両弾性片２３Ａ、２３Ｂにより画定される略円形状の空間に連通するとともに、基台２４の上方に開口する。通気口２７は、平坦面２７Ａと、傾斜面２７Ｂとを有する。平坦面２７Ａは、略円形状の空間に近接して前後方向に延びる。傾斜面２７Ｂは、平坦面２７Ａに連続して形成され、前方から後方に向かって上方に傾斜する。傾斜面２７Ｂの後端は基台２４の上面２４Ａに連結する。
【００５３】
一対のリブ２８Ａ、２８Ｂが、両突出片２５Ａ、２５Ｂの内側の領域において通気口２７の左右両側に近接して形成される。両リブ２８Ａ、２８Ｂは、弾性片２３Ａから基台２４の前方部分までの領域において前後方向に延びる。両リブ２８Ａ、２８Ｂは、弾性片２３Ａが弾性変形したときの強度を増大させるために補強の働きを有する。
【００５４】
本実施形態では、第１連結部７の両弾性片２３Ａ、２３Ｂと第１係止クリップ３の係止軸部３Ａとの間の係止力は、第２係止クリップ４の両弾性片４Ａ、４Ｂと第２連結部８の係止軸部９との間の係止力より小さく設定される。ここで、係止力とは、各連結部と各係止クリップとを引っ張ったときに、両弾性片と係止軸部とを離脱させるために必要な引っ張り力を意味する。両弾性片２３Ａ、２３Ｂと係止軸部３Ａとの間の係止力は、通気口２７および一対のリブ２８Ａ、２８Ｂの形状に応じて、設定される。すなわち、両弾性片２３Ａ、２３Ｂと係止軸部３Ａとの間の係止力は、通気口２７を形成することにより、小さくなり、両リブ２８Ａ、２８Ｂを形成することにより、大きくなることから、通気口２７および両リブ２８Ａ、２８Ｂの形状を設計することにより、係止力が設定される。通常、係止力は、ストラップ部２が何かに引っ掛かってユーザの首を締め付ける異常事態が発生した場合、ユーザが呼吸をすることが困難になる前に、各連結部と各係止クリップとの係止が解除されるような強さ以下の係止力に設定される。
【００５５】
（第１連結部７の本体部６への組み付け）
第１連結部７を本体部６に組み付ける方法、および両者が組み付けられた構成について、図７および図８を参照して説明する。図７は、図３に示すホイッスル５を前方から見た図面である。図８は、第１および第２係止クリップ３、４の一部と、図３に示すＡ−Ａ線に従って切断されたホイッスル５とを示す。第１連結部７の連結基体部２２を本体部６の収容室１９に挿入し始めると、一対の突出片２５Ａ、２５Ｂの上面が上方壁１１の内面と係合し、基台２４の下面が下方壁１２の内面と係合する。また、両突出片２５Ａ、２５Ｂの側面および基台２４の両側面が、右方壁１３の内面および左方壁１４の内面にそれぞれ係合する。
【００５６】
連結基体部２２を収容室１９に挿入し続けると、一対の係止突起２６Ａ、２６Ｂの傾斜面が右方壁１３の内面および左方壁１４の内面と圧接した状態で係合する。この圧接した状態のまま、連結基体部２２を収容室１９に更に挿入すると、右方壁１３および左方壁１４が弾性変形して、両係止突起２６Ａ、２６Ｂが一対の係止凹部２０Ａ、２０Ｂに嵌合する。この嵌合により、第１連結部７が本体部６から抜け落ちることを防止できる。両突出片２５Ａ、２５Ｂの上面および基台２４の下面が上方壁１１および下方壁１２の内面と係合すること、両突出片２５Ａ、２５Ｂおよび基台２４の側面が右方壁１３および左方壁１４の内面に係合すること、両係止突起２６Ａ、２６Ｂが両係止凹部２０Ａ、２０Ｂに嵌合することにより、第１連結部７が本体部６の収容室１９の内部における所定の位置に固定される。第１連結部を本体部６に組み付ける工程は、作業者の手作業により実行されても、組み立て機械により自動で実行されてもよい。
【００５７】
第１連結部７が本体部６に組み付けられた状態において、間隙ＧＶが、吹き口１６の上方端縁、すなわち上方壁１１の内面と、弾性片２３Ａの上方端縁との間に形成される。また、図７において、間隙ＧＨ１が、吹き口１６の右方端縁、すなわち右方壁１３の内面と、弾性片２３Ａの右方端縁との間に形成され、間隙ＧＨ２が、吹き口１６の左方端縁、すなわち左方壁１４の内面と、弾性片２３Ａの左方端縁との間に形成される。
【００５８】
図８において、通気口２７は、吹き口１６の上方端縁との間で、間隙を形成する。具体的には、通気口２７の平坦面２７Ａおよび傾斜面２７Ｂと、吹き口１６の上方端縁、すなわち上方壁１１の内面との間で、間隙が形成される。間隙ＧＶ、間隙ＧＨ１、ＧＨ２、および、通気口２７が形成する間隙は、ユーザが吹き口１６から吹き込んだ空気を共鳴室１８に流入させる。
【００５９】
図８において、第１連結部７の弾性片２３Ａは、間隙ＧＶの存在により、上方に向かって弾性変形することができる。また、第１連結部７の弾性片２３Ｂは、下方壁１２と干渉しない状態で配置されることから、下方に向かって弾性変形することができる。
【００６０】
［実施形態の動作および作用］
図１、図７、および図８を参照して、ホイッスル付きストラップ１の動作および作用を説明する。ユーザが図１に示すようにホイッスル付きストラップ１を首に掛けている状態において、火災などの緊急事態が発生した場合、ユーザは緊急事態の発生を周囲の人達に至急知らせる必要がある。この場合、ユーザは、第１係止クリップ３とホイッスル５の第１連結部７との係止を解除するために、第１係止クリップ３とホイッスル５とを引っ張ると、第１連結部７の弾性片２３Ａが、図８において、間隙ＧＶの存在により、上方に弾性変形することができる。また、第１連結部７の弾性片２３Ｂが、下方壁１２から前方に突出して配置されることから、下方壁１２と干渉することなく、下方に弾性変形することができる。両弾性片２３Ａ、２３Ｂが、上記のように弾性変形することにより、第１係止クリップ３の係止軸部３Ａから離脱する。この離脱した状態で、ユーザは、ホイッスル５の第１連結部７を咥えて空気を吹き口１６から吹き込む。
【００６１】
吹き込まれた空気は、図７に示す間隙ＧＶ、ＧＨ１、ＧＨ２、および通気口２７から、ホイッスル５の中に流入する。間隙ＧＶ、ＧＨ１、ＧＨ２から流入した空気は、基台２４の上面２４Ｃを通って共鳴室１８に送り込まれる。また、通気口２７から流入した空気は、平坦面２７Ａおよび傾斜面２７Ｂを通り、更に基台２４の上面２４Ｃを通って共鳴室１８に送り込まれる。流入した空気の流速は、傾斜面２７Ｂ、および傾斜した上面２４Ｃにより、増加する。流速が増加した空気の一部が排気口２７から流出することにより、流速が増加した空気の流れは排気口２７の周辺で乱されて空気が振動し、３ｋＨｚの周波数の警報音が発生する。
【００６２】
ホイッスル５の第１連結部７から空気を吹き込むときに、ホイッスル５の第２連結部８に連結されたストラップ部２が邪魔になる場合には、ユーザは、第２係止クリップ４とホイッスル５の第２連結部８との係止も解除するために、第２係止クリップ４とホイッスル５とを引っ張ると、第２連結部８の係止軸部９が、第２係止クリップ４の両弾性片４Ａ、４Ｂから離脱する。ユーザは、ホイッスル５単体を手に持って、ホイッスル５の第１連結部７を咥えて空気を吹き口１６から吹き込むことができる。
【００６３】
緊急事態の発生を周囲の人達に知らせることができた後には、ユーザは、ホイッスル５の第１および第２連結部７、８を、第１および第２係止クリップ３、４に係止させて連結する。この連結した状態で、ユーザは、図１に示すように、ホイッスル付きストラップ１を首に掛けることができる。
【００６４】
［実施形態の効果］
本実施形態では、ホイッスル５が、図２に示すように、第１および第２係止クリップ３、４と同一の幅で形成されていることから、ユーザは、ホイッスル付きストラップ１を首などに身に付けているときでも、ホイッスル５が邪魔になることはない。また、ユーザは、緊急事態の発生時に、ホイッスル５の第１連結部７を第１係止クリップ３から離脱させることにより、第１連結部７が組み付けられたホイッスル５の吹き口１６から吹くことが容易になる。
【００６５】
本実施形態では、第１連結部７が一対の弾性片２３Ａ、２３Ｂを備え、第２連結部８が係止軸部９および一対の支持突部１０Ａ、１０Ｂを備える構成であることから、第１連結部が係止軸部および一対の支持突部を備える構成に比べ、第１連結部７の左右方向の寸法である幅を小さくすることができる。この結果、吹き口１６を大きくすることなく、第１連結部７を吹き口１６に組み付けることができ、ホイッスル５の幅を小さくすることができる。
【００６６】
本実施形態では、間隙ＧＶが、空気を吹き込むための間隙として機能するとともに、第１連結部７の弾性片２３Ａが上方に弾性変形するための空間としても機能することから、ホイッスル５の吹き口１６の周辺の上下方向の寸法を小さくすることができる。また、第１連結部７の弾性片２３Ｂが下方壁１２から前方に突出するように配置されることから、弾性片２３Ｂが下方壁１２に干渉することなく下方に弾性変形することができる。この結果、下方壁１２が弾性片２３Ｂの下方まで張り出す構成に比べ、本実施形態では、ホイッスル５の吹き口１６の周辺の上下方向の寸法を小さくすることができる。
【００６７】
本実施形態では、通気口２７が、第１連結部７の弾性片２３Ａから基台２４の前方部分にわたって形成されることから、間隙ＧＶ、ＧＨ１、ＧＨ２を大きくすることなく、ユーザは、両弾性片２３Ａ、２３Ｂの間に形成される略円形の空間を通して通気口２７に充分な空気を吹き込むことができる。この結果、ホイッスル５の吹き口１６の周辺の上下方向および左右方向の寸法を小さくすることができるとともに、ユーザは、ホイッスル５から強い警報音を鳴らすことができる。
【００６８】
本実施形態では、第１連結部７の両弾性片２３Ａ、２３Ｂの先端部分が、上方壁１１より前方に突出するように配置されることから、ユーザは、両弾性片２３Ａ、２３Ｂの配置位置を確認することが容易になり、両弾性片２３Ａ、２３Ｂを第１係止クリップ３の係止軸部３Ａに係合させることが容易になる。
【００６９】
本実施形態では、第１係止クリップ３の係止軸部３Ａ、および第２係止クリップ４の一対の弾性片４Ａ、４Ｂが、互いに係脱可能に構成されるとともに、ホイッスル５の第１連結部７の一対の弾性片２３Ａ、２３Ｂ、および第２連結部８の係止軸部９に対して、係脱可能に構成される。この結果、ユーザは、第１および第２係止クリップ３、４が固定されたストラップ部２を、ホイッスル５を装着しない通常のストラップとして使用することができるとともに、ホイッスル付きストラップ１にも使用することができる。
【００７０】
本実施形態では、両突出片２５Ａ、２５Ｂの上面および基台２４の下面が上方壁１１および下方壁１２の内面と係合することにより、第１連結部７が上下方向において本体部６の収容室１９の内部に位置決めされる。両突出片２５Ａ、２５Ｂおよび基台２４の側面が右方壁１３および左方壁１４の内面に係合することにより、第１連結部７が左右方向において本体部６の収容室１９の内部に位置決めされる。両係止突起２６Ａ、２６Ｂが両係止凹部２０Ａ、２０Ｂに嵌合することにより、第１連結部７が前後方向において本体部６の収容室１９の内部に位置決めされる。３つの方向における位置決めの結果、第１連結部７が本体部６の収容室１９の内部における所定の位置に常に固定される。この所定の位置に固定されることにより、間隙ＧＶ、ＧＨ１、ＧＨ２が所定の間隙に常に設定されることから、ユーザは、ホイッスル５から、所定の周波数および所定の強さの警報音を発生させることができる。
【００７１】
本実施形態では、第１連結部７の両弾性片２３Ａ、２３Ｂと第１係止クリップ３の係止軸部３Ａとの間の係止力は、第２係止クリップ４の両弾性片４Ａ、４Ｂと第２連結部８の係止軸部９との間の係止力より小さく設定される。この結果、ユーザが、ストラップ部２の両端２Ａ、２Ｂを持って引っ張ったときに、両弾性片２３Ａ、２３Ｂと係止軸部３Ａとの係止が、両弾性片４Ａ、４Ｂと係止軸部９との係止より先に解除される。この結果、ユーザは、離脱した第１連結部７の配置側から、ホイッスル５を素早く吹くことができる。また、ユーザが、ストラップ部２の一端２Ａとホイッスル５とを持って引っ張ったときにも、両弾性片２３Ａ、２３Ｂと係止軸部３Ａとの係止を容易に解除することができる。
【００７２】
＜構成の対応関係＞
ホイッスル付きストラップ１、およびホイッスル５は、本発明のホイッスル付きストラップ、およびホイッスルの一例である。ストラップ部２、本体部６、第１連結部７、および第２連結部８が、本発明のストラップ部、本体部、第１連結部、および第２連結部の一例である。吹き口１６、排気口１７、および共鳴室１８が、本発明の吹き口、排気口、および共鳴室の一例である。第１連結部７の一対の弾性片２３Ａ、２３Ｂが、本発明の係合部、および一対の弾性片の一例である。第１係止クリップ３の係止軸部３Ａが、本発明の係止部、および第１係止部の一例である。通気口１７が、本発明の通気口の一例である。一対の係止突起２６Ａ、２６Ｂ、および一対の係止凹部２０Ａ、２０Ｂが、本発明の係止突起、および係止凹部の一例である。上方壁１１、下方壁１２、右方壁１３、および左方壁１４が、本発明の第１壁、第２壁、および一対の連結壁の一例である。第２係止クリップ４の一対の弾性片４Ａ、４Ｂは、本発明の第２係止部の一例である。第２連結部８の係止軸部９が、本発明の第２連結部の係止軸部の一例である。前後方向が、本発明の所定の方向の一例であり、左右方向が、本発明の係止軸部が延びる軸方向の一例である。
【００７３】
＜変形例＞
本発明は、本実施形態に限定されることはなく、その趣旨を逸脱しない範囲において種々の変形が可能である。以下にその変形の一例を述べる。
【００７４】
（１）本実施形態では、本体部６および第２連結部８が一体に成形され、第１連結部７が本体部６と別体に成形される構成であるが、この構成に限定されない。たとえば、本体部を上下方向に分割して形成し、第１および第２連結部が本体部の一方の分割部分と一体に成形される構成でもよい。
【００７５】
（２）本実施形態では、第１連結部７は一対の弾性片２３Ａ、２３Ｂを有し、第１係止クリップ３が係止軸部３Ａを有し、両弾性片２３Ａ、２３Ｂが係止軸部に係合する構成であるが、第１連結部が第１係止クリップと係脱可能に連結される構成であれば、この構成に限定されない。たとえば、第１連結部が係止軸部を有し、第１係止クリップが一対の弾性片を有する構成でもよい。この変形例では、第２連結部は、係止軸部に代えて一対の弾性片を有する構成となる。また、特許文献１の図２および図８に示すように、第１連結部および第１係止クリップが、雌レセプタクル、および一対のフックを有する雄ラッチのいずれかを備える構成でもよい。同様に、第２連結部および第２係止クリップが、雌レセプタクル、および一対のフックを有する雄ラッチのいずれかを備える構成でもよい。雌レセプタクルおよび雄ラッチを使用する構成においては、ユーザが一対のフックの係止を解除する操作を行う構成でも、両フックの弾性係止力に抗して雌レセプタクルと雄ラッチとを離脱させる構成でもよい。
【００７６】
（３）本実施形態では、上方壁１１、右方壁１３、および左方壁１４と、弾性片２３Ａ、および基台２４との間に間隙ＧＶ、ＧＨ１、ＧＨ２を有するとともに、通気口２７が間隙として弾性片２３Ａおよび基台２４に形成される構成であるが、この構成に限定されない。たとえば、弾性片および基台と各壁との間に間隙を有しないで、通気口のみを形成する構成でも、反対に、通気口を形成しないで、弾性片および基台と各壁との間に間隙のみを有する構成でもよい。
【００７７】
（４）本実施形態では、ホイッスル付きストラップ１が１本のストラップ部２を備える構成であるが、この構成に限定されない。たとえば、ホイッスル付きストラップが２本のストラップ部を備え、２本のストラップ部の一端が公知の取付手段によりネームタグにそれぞれ取り付けられ、ホイッスルの第１および第２連結部が、２本のストラップ部の他端にそれぞれ固定された第１および第２係止クリップと着脱可能に連結される構成でもよい。
【００７８】
（５）本実施形態では、両弾性片２３Ａ、２３Ｂと第１係止クリップ３の係止軸部３Ａとの間の係止力は、第２係止クリップ４の両弾性片４Ａ、４Ｂと第２連結部８の係止軸部９との間の係止力より小さく設定される。両弾性片２３Ａ、２３Ｂと第１係止軸部３Ａとの間の係止力は、通気口２７および一対のリブ２８Ａ、２８Ｂの形状に応じて設定される構成であるが、この構成に限定されない。たとえば、通気口２７および両リブ２８Ａ、２８Ｂの形状に代えてまたは加えて、第１連結部が、第２係止クリップより弾性力の小さい材料から形成される構成でも、第１連結部の両弾性片の肉厚が、第２係止クリップの両弾性片の肉厚より薄く形成する構成でもよい。更に、通気口２７および両リブ２８Ａ、２８Ｂの形状に代えてまたは加えて、第１係止クリップ３の係止軸部３Ａの直径より、第２連結部８の係止軸部９の直径を大きくする構成でもよい。
【００７９】
（６）本実施形態では、両突出片２５Ａ、２５Ｂの上面および基台２４の下面が上方壁１１および下方壁１２の内面と係合することにより、第１連結部７が上下方向において本体部６の収容室１９の内部に位置決めされる。両突出片２５Ａ、２５Ｂおよび基台２４の側面が右方壁１３および左方壁１４の内面に係合することにより、第１連結部７が左右方向において本体部６の収容室１９の内部に位置決めされる。両係止突起２６Ａ、２６Ｂが両係止凹部２０Ａ、２０Ｂに嵌合することにより、第１連結部７が前後方向において本体部６の収容室１９の内部に位置決めされる。しかし、この構成に限定されることはなく、たとえば、両突出片２５Ａ、２５Ｂの上面が上方壁１１の内面と係合する構成に代えて、両係止突起の上面が両係止凹部の上方内面に係合した状態で、両係止突起が両係止凹部に嵌合することにより、第１連結部が上下方向および前後方向において本体部の収容室の内部に位置決めされる構成でもよい。
【符号の説明】
【００８０】
１    ホイッスル付きストラップ
２    ストラップ部
３    第１係止クリップ
３Ａ、９    係止軸部
４    第２係止クリップ
４Ａ、４Ｂ、２３Ａ、２３Ｂ    弾性片
５    ホイッスル
６    本体部
７    第１連結部
８    第２連結部
１１    上方壁
１２    下方壁
１３    右方壁
１４    左方壁
１６    吹き口
１７    排気口
１８    共鳴室
２０Ａ、２０Ｂ    係止凹部
２６Ａ、２６Ｂ    係止突起
２７    通気口
ＧＶ、ＧＨ１、ＧＨ２    間隙
【図１】
2014059451.tif 000003
【図２】
2014059451.tif 000004
【図３】
2014059451.tif 000005
【図４】
2014059451.tif 000006
【図５】
2014059451.tif 000007
【図６】
2014059451.tif 000008
【図７】
2014059451.tif 000009
【図８】
2014059451.tif 000010